(57)【要約】【課題】  遊技機の取り外しに際し、玉箱及び玉通路を遊技機前面から退避させることを可能にする。【解決手段】  遊技機１０１ごとに対応させて隣接して設置され、遊技媒体Ａを払い出すための処理を行うとともに、流入された遊技媒体Ａを排出する台間機２０１と、  前記遊技機１０１前面に設けられ、前記遊技機１０１に備えられた下皿１０２から排出された遊技媒体Ａを受け入れる遊技媒体受け部３０１と、  前記遊技媒体受け部３０１において受け入れた前記遊技媒体Ａを前記台間機２０１へ向けて搬送させる遊技媒体通路３１１と、  を有する遊技媒体計数装置１１であって、  前記遊技媒体通路３１１は、前記台間機２０１前面に設けられた嵌合部３７１を基端として水平方向に回動することを特徴とする遊技媒体計数装置１１。【選択図】図１
2015051061.tif 000002
【特許請求の範囲】
【請求項１】
遊技機ごとに対応させて隣接して設置され、遊技媒体を払い出すための処理を行うとともに、流入された遊技媒体を排出する台間機と、
前記遊技機前面に設けられ、前記遊技機に備えられた下皿から排出された遊技媒体を受け入れる遊技媒体受け部と、
前記遊技媒体受け部において受け入れた前記遊技媒体を前記台間機へ向けて搬送させる遊技媒体通路と、
を有する遊技媒体計数装置であって、
前記遊技媒体通路は、前記台間機前面に設けられた嵌合部を基端として水平方向に回動することを特徴とする遊技媒体計数装置。
【請求項２】
前記遊技媒体計数装置は、前記遊技媒体受け部から前記台間機までのいずれかに設けられた、通過する前記遊技媒体を計数する遊技媒体計数部、
を有することを特徴とする請求項１記載の遊技媒体計数装置。
【請求項３】
前記嵌合部は、前記台間機内部に侵出する第１の通路部材と、前記遊技媒体受け部へ連なる第２の通路部材を連結することを特徴とする請求項１乃至２記載の遊技媒体計数装置。
【請求項４】
前記第１の通路部材は所定の操作により、台間機内部から引き抜くことが可能であることを特徴とする請求項１乃至３記載の遊技媒体計数装置。
【請求項５】
前記遊技媒体通路は、第１の通路部材の内部に回動動作に伴い移動を行う内部通路部材を備えることを特徴とする請求項１乃至４記載の遊技媒体計数装置。
【請求項６】
前記台間機は、
前記内部通路部材の移動を検出する内部通路移動検出手段と、
前記内部通路移動検出手段における検出結果から、前記遊技媒体通路の状態が、
前記遊技媒体受け部が前記遊技機の前面に位置する通常時の第１の状態、
あるいは、
前記遊技媒体通路が回動し、前記遊技機前面から退避された第２の状態、
あるいは、
前記第１の通路部材が前記台間機から引き抜かれた第３の状態、
の３状態のいずれかを判定する遊技媒体通路状態判定手段と、
を備えることを特徴とする請求項１乃至５記載の遊技媒体計数装置。
【請求項７】
前記遊技媒体通路は、搬送された前記遊技媒体の搬送を阻止する遊技媒体搬送阻止手段を備えることを特徴とする請求項１乃至５記載の遊技媒体計数装置。
【請求項８】
前記台間機は、報知手段を備え、
前記遊技媒体搬送阻止手段により、前記遊技媒体の搬送が阻止されている状態で、前記遊技媒体の計数が行われた場合、前記報知手段により報知を行うことを特徴とする請求項１乃至７記載の遊技媒体計数装装置。
【請求項９】
前記台間機は、報知手段を備え、
前記遊技媒体通路判定手段により、前記遊技媒体通路が前記第２の状態であると判定し、
前記遊技媒体搬送阻止手段により前記遊技媒体の搬送を阻止している状態において、前記遊技媒体の計数が行われた場合、前記報知手段により報知を行うとともに、前記遊技媒体通路判定手段により、前記遊技媒体通路が、前記第３の状態であると判定した場合は、計数の有無にもかかわらず、前記報知手段により報知が行われることを特徴とする請求項１乃至８記載の遊技媒体計数装置。
【請求項１０】
遊技機ごとに対応させて隣接して設置され、遊技媒体を払い出すための処理を行うとともに、流入された遊技媒体を排出する台間機と、
前記遊技機前面に設けられ、前記遊技機に備えられた下皿から排出された遊技媒体を受け入れる遊技媒体受け部と、
前記遊技媒体受け部において受け入れた前記遊技媒体を前記台間機へ向けて搬送させる遊技媒体通路と、
前記遊技媒体受け部から前記台間機までのいずれかに設けられた、通過する前記遊技媒体を計数する遊技媒体計数部と、
を有する遊技媒体計数システムであって、
前記台間機は、
前記遊技媒体通路の状態を検出する移動検出手段と、
前記移動検出手段において検出結果から、前記遊技媒体通路の状態が、
前記遊技媒体受け部が前記遊技機の前面に位置する通常時の第１の状態、
あるいは、
前記遊技媒体通路が回動し、前記遊技機前面から退避された第２の状態、
あるいは、
前記遊技媒体通路が前記台間機から引き抜かれた第３の状態、
の３状態のいずれかを判定する遊技媒体通路状態判定手段と、
を備えることを特徴とする遊技媒体計数システム。
【請求項１１】
前記遊技媒体通路は、前記台間機前面に設けられた嵌合部を基端として水平方向に回動することを特徴とする請求項１０記載の遊技媒体計数システム。
【発明の詳細な説明】
【技術分野】
【０００１】
本発明は、遊技媒体計数装置に係る。更に詳細には、遊技媒体受け部において受け入れた遊技媒体を、遊技媒体計数部へ向けて搬送させる遊技媒体通路を有する、遊技媒体計数装置に係る。
【背景技術】
【０００２】
従来、玉受け部あるいは遊技媒体受け部において受け入れた遊技媒体を台間機へ向けて搬送させる遊技媒体通路を有する遊技媒体計数装置において、玉受け部あるいは、計数部が遊技機前面から回動される、あるいは上下移動され、あるいは取り外しされるものとしては、特許文献１乃至６記載のものが知られている。
すなわち、特許文献１（特許２７１５２４９号公報）「パチンコ玉の計数装置」では、「計数器が天板上方で回動可能なように、その前記台間玉貸し機に近い側の一端と該台間玉貸し機とをヒンジを介して取り付けてなる」。
【０００３】
特許文献２（特開平１０−２６３１９４号公報）「遊技媒体計数機」には、「天板１上に、各パチンコ機２毎に対応させて固設した固定パイプ軸１１と、天板１上にて略水平方向に回動可能に、前記固定パイプ軸１１により軸支された計数機本体２０とを備え、計数機本体２０の基端側に、前記固定パイプ軸１１に直接嵌合する軸受け部２１を形成し、該軸受け部２１に、計数済みの球の排出口２２を開設する一方、前記固定パイプ軸１１の一側部に、前記排出口２２に合致して球を受け入れる取込口１２を開設し、前記固定パイプ軸１１の他側部に、球貸し機３０の連通空間３８を通って遊技機島内部に延びる球回収通路１７を接続した。」についての記載がある。
【０００４】
特許文献３（実登２５７９７９２号公報）「パチンコゲーム機の玉案内装置」では、「玉投入口に案内する案内腕とを設けたことを特徴とするパチンコゲーム機の玉案内装置。」であって、「案内腕は、基端部が玉投入口に水平回動可能に設けられている」、「案内腕は、基端部が玉投入口に上下動可能に設けられている」他の記載がある。
【０００５】
特許文献４（特開平１１−１９７３４６号公報）「台毎計数機」では、「受け皿１５の下面には、アジャスタ機能の付いた脚部２１を設ける。これにより、受け皿を任意の高さ位置（下皿の直下など）に設定でき、脚部の長さを調整することにより、島テーブル２２のテーブル面２２ａにしっかりと接触させて受け皿の姿勢を保持する。」他の記載がある。
【０００６】
特許文献５（実登２６０４８６２号公報）「パチンコ玉計数装置」では、「パチンコゲーム機の側方に前記玉計数器と連通して設けられた連結部と、この連結部に基端部が回動可能に設けられ回動位置に応じて先端部に設けられた玉受部が前記パチンコゲーム機の玉受皿の排出孔の下方に位置する玉案内アームとを備え」他の記載がある。
【０００７】
特許文献６（特開２００９−１８３４８５号公報）「台間機および台間機システム」には、図３５に図示されるように、台間機から引き抜くことができる玉通路乃至遊技媒体通路４００についての記載がある。４０１は遊技機、４０２は上皿、４０３は下皿、４０４はハンドル、４０５は玉箱あるいは遊技媒体受け部、４０６はテーブル、２０１は台間機である。
【先行技術文献】
【特許文献】
【０００８】
【特許文献１】特許２７１５２４９号公報
【特許文献２】特開平１０−２６３１９４号公報
【特許文献３】実登２５７９７９２号公報
【特許文献４】特開平１１−１９７３４６号公報
【特許文献５】実登２６０４８６２号公報
【特許文献６】特開２００９−１８３４８５号公報
【発明の概要】
【発明が解決しようとする課題】
【０００９】
特許文献１、２記載の発明は、玉受け部あるいは、計数部が遊技機前面から回動され、対応する遊技台前面から退避、移動させるにあたって、隣接する遊技台前面に大きく侵出するため、連続して遊技台を取り外す時邪魔になる問題点を有した。
特許文献３、５記載の発明では、案内腕あるいは玉案内用アームが、遊技者側に大きく突出される問題点を有した。また、特許文献３記載の発明の上下位置調整は微調整を目的とするものである。
特許文献４記載の発明では、玉受け部上縁を下皿と平行を保っての移動は困難であり、玉受け部上縁と下皿間に隙間が発生する問題点を有した。
特許文献６記載の発明は、玉受け部あるいは、計数部を遊技機前面から回動させることを目的とするものではない。
【００１０】
本発明の目的は、これら問題点を解決することを目的とするものであって、遊技台の取り外しに際し、玉箱及び玉通路を遊技台前面から退避させることにある。
更に、遊技台の取り外しに際し、玉箱及び玉通路を遊技台前面から退避させた状態において、玉が流れるあるいは移動するのを阻止する。また、その状況下において不正に計数誤作動が行われたときに検知可能とするものである。
【課題を解決するための手段】
【００１１】
本発明に係る遊技媒体計数装置は、
遊技機ごとに対応させて隣接して設置され、遊技媒体を払い出すための処理を行うとともに、流入された遊技媒体を排出する台間機と、
前記遊技機前面に設けられ、前記遊技機に備えられた下皿から排出された遊技媒体を受け入れる遊技媒体受け部と、
前記遊技媒体受け部において受け入れた前記遊技媒体を前記台間機へ向けて搬送させる遊技媒体通路と、
を有する遊技媒体計数装置であって、
前記遊技媒体通路は、前記台間機前面に設けられた嵌合部を基端として水平方向に回動する、
を有する。
【００１２】
あるいは、本発明に係る遊技媒体計数装置は、更に、
前記遊技媒体計数装置は、前記遊技媒体受け部から前記台間機までのいずれかに設けられた、通過する前記遊技媒体を計数する遊技媒体計数部、
を有する。
【００１３】
あるいは、本発明に係る遊技媒体計数装置は、更に、
前記嵌合部は、前記台間機内部に侵出する第１の通路部材と、前記遊技媒体受け部へ連なる第２の通路部材を連結する、
を有する。
【００１４】
あるいは、本発明に係る遊技媒体計数装置は、更に、
前記第１の通路部材は所定の操作により、台間機内部から引き抜くことが可能である、
を有する。
【００１５】
あるいは、本発明に係る遊技媒体計数装置は、更に、
前記遊技媒体通路は、第１の通路部材の内部に回動動作に伴い移動を行う内部通路部材を備える。
【００１６】
あるいは、本発明に係る遊技媒体計数装置は、更に、
前記台間機は、
前記内部通路部材の移動を検出する内部通路移動検出手段と、
前記内部通路移動検出手段における検出結果から、前記遊技媒体通路の状態が、
前記遊技媒体受け部が前記遊技機の前面に位置する通常時の第１の状態、
あるいは、
前記遊技媒体通路が回動し、前記遊技機前面から退避された第２の状態、
あるいは、
前記第１の通路部材が前記台間機から引き抜かれた第３の状態、
の３状態のいずれかを判定する遊技媒体通路状態判定手段と、
を備える、
を有する。
【００１７】
あるいは、本発明に係る遊技媒体計数装置は、更に、
前記遊技媒体通路は、搬送された前記遊技媒体の搬送を阻止する遊技媒体搬送阻止手段を備え、
を有する。
【００１８】
あるいは、本発明に係る遊技媒体計数装置は、更に、
前記台間機は、報知手段を備え、
前記遊技媒体搬送阻止手段により、前記遊技媒体の搬送が阻止されている状態で、前記遊技媒体の計数が行われた場合、前記報知手段により報知を行う、
を有する。
【００１９】
あるいは、本発明に係る遊技媒体計数装置は、更に、
前記台間機は、報知手段を備え、
前記遊技媒体通路判定手段により、前記遊技媒体通路が前記第２の状態であると判定し、
前記遊技媒体搬送阻止手段により前記遊技媒体の搬送を阻止している状態において、前記遊技媒体の計数が行われた場合、前記報知手段により報知を行うとともに、前記遊技媒体通路判定手段により、前記遊技媒体通路が、前記第３の状態であると判定した場合は、計数の有無にもかかわらず、前記報知手段により報知が行われる、
を有する。
【００２０】
あるいは、本発明に係る遊技媒体計数システムは、
遊技機ごとに対応させて隣接して設置され、遊技媒体を払い出すための処理を行うとともに、流入された遊技媒体を排出する台間機と、
前記遊技機前面に設けられ、前記遊技機に備えられた下皿から排出された遊技媒体を受け入れる遊技媒体受け部と、
前記遊技媒体受け部において受け入れた前記遊技媒体を前記台間機へ向けて搬送させる遊技媒体通路と、
前記遊技媒体受け部から前記台間機までのいずれかに設けられた、通過する前記遊技媒体を計数する遊技媒体計数部と、
を有する遊技媒体計数システムであって、
前記台間機は、
前記遊技媒体通路の状態を検出する移動検出手段と、
前記移動検出手段において検出結果から、前記遊技媒体通路の状態が、
前記遊技媒体受け部が前記遊技機の前面に位置する通常時の第１の状態、
あるいは、
前記遊技媒体通路が回動し、前記遊技機前面から退避された第２の状態、
あるいは、
前記遊技媒体通路が前記台間機から引き抜かれた第３の状態、
の３状態のいずれかを判定する遊技媒体通路状態判定手段と、
を備える、
を有する。
【００２１】
あるいは、本発明に係る遊技媒体計数システムは、更に、
前記遊技媒体通路は、前記台間機前面に設けられた嵌合部を基端として水平方向に回動する、
を有する。
【発明の効果】
【００２２】
本発明によれば、遊技機の取り外し等に際し、玉箱である遊技媒体受け部及び台間機と遊技媒体受け部とを連結する遊技媒体通路を遊技機前面から退避させることが可能となる。
更に、遊技機の取り外しに際し、玉箱及び玉通路を遊技機前面から退避させた状態において、玉が流れるあるいは移動するのを阻止する。また、その状況下において、不正に計数誤作動が行われたときに検知可能とする。
【図面の簡単な説明】
【００２３】
【図１】この発明の実施の形態に係る第１の実施例の遊技媒体計数装置の斜視図である。
【図２】この発明の実施の形態に係る第１の実施例の遊技処理システムの概要図である。
【図３】この発明の実施の形態に係る第１の実施例の遊技媒体計数装置に係る遊技媒体受け部、遊技媒体通路及び台間機の一部拡大斜視図である。
【図４】この発明の実施の形態に係る第１の実施例の遊技媒体計数装置に係る遊技媒体受け部、遊技媒体通路及び台間機の底面側からみた一部拡大斜視図である。
【図５】この発明の実施の形態に係る第１の実施例の遊技媒体計数装置に係る遊技媒体通路の一部拡大斜視図である。
【図６】この発明の実施の形態に係る第１の実施例の遊技媒体計数装置に係る遊技媒体通路の尖端折畳み状態の一部拡大斜視図である。
【図７】この発明の実施の形態に係る第１の実施例の遊技媒体計数装置に係る遊技媒体通路の部品図である。
【図８】この発明の実施の形態に係る第１の実施例の遊技媒体計数装置に係る台間機側筒状部品蓋体を取り外した使用状態の台間機側面図である。
【図９】この発明の実施の形態に係る第１の実施例の遊技媒体計数装置に係る遊技媒体受け部、遊技媒体通路の使用状態の平面図である。
【図１０】この発明の実施の形態に係る第１の実施例の遊技媒体計数装置に係る遊技媒体受け部、遊技媒体通路の使用状態の平面図である。
【図１１】この発明の実施の形態に係る第１の実施例の遊技媒体計数装置に係る遊技媒体受け部、遊技媒体通路の使用状態の平面図である。
【図１２】この発明の実施の形態に係る第１の実施例の遊技媒体計数装置に係る遊技媒体通路の使用状態の平面図である。
【図１３】この発明の実施の形態に係る第１の実施例の遊技媒体計数装置に係る遊技媒体受け部の一部拡大構成斜視図である。
【図１４】この発明の実施の形態に係る第１の実施例の図１３の側面からみた一部拡大斜視図である。
【図１５】この発明の実施の形態に係る第１の実施例の遊技媒体計数装置に係る遊技媒体受け部の一部拡大斜視図である。
【図１６】この発明の実施の形態に係る第１の実施例の遊技媒体計数装置に係る遊技媒体受け部の正面図である。
【図１７】この発明の実施の形態に係る第１の実施例の遊技媒体計数装置に係る遊技媒体受け部の遊技媒体通路を取り外した状態の側面図である。
【図１８】この発明の実施の形態に係る第１の実施例の遊技媒体計数装置に係る中間筒状部品及び台間機側筒状部品の斜視図である。
【図１９】この発明の実施の形態に係る第１の実施例の遊技媒体計数装置に係る中間筒状部品及び台間機側筒状部品の斜視図である。
【図２０】この発明の実施の形態に係る第１の実施例の遊技媒体計数装置に係る中間筒状部品及び台間機側筒状部品の斜視図である。
【図２１】この発明の実施の形態に係る第１の実施例の遊技媒体計数装置に係る台間機側筒状部品及び台間機の組み立て状態の内部構造図である。
【図２２】この発明の実施の形態に係る第１の実施例の遊技媒体計数装置に係るインナーＲ及びインナーＬの斜視図である。
【図２３】この発明の実施の形態に係る第１の実施例の遊技媒体計数装置に係る開閉手段の斜視図である。
【図２４】この発明の実施の形態に係る第２実施例の遊技媒体計数装置に係る遊技媒体受け部、遊技媒体通路及び台間機の一部拡大斜視面図である。
【図２５】この発明の実施の形態に係る第２実施例の遊技媒体計数装置に係る遊技媒体受け部、遊技媒体通路及び台間機の一部拡大斜視面図であり、遊技機前面から退避した状態をあらわす。
【図２６】この発明の実施の形態に係る第２実施例の遊技媒体計数装置に係る遊技媒体受け部及び台間機の一部拡大斜視面図であり、遊技媒体受け部を取り外した状態をあらわす。
【図２７】この発明の実施の形態に係る第２実施例の遊技媒体計数装置に係る遊技媒体受け部及び台間機の一部拡大斜視面図であり、遊技媒体受け部を取り外した状態をあらわす。
【図２８】この発明の実施の形態に係る第３実施例の遊技媒体計数装置に係る遊技媒体受け部、遊技媒体通路及び台間機の全体斜視図である。
【図２９】この発明の実施の形態に係る第３実施例の遊技媒体計数装置に係る遊技媒体受け部、遊技媒体通路及び台間機の全体正面図である。
【図３０】この発明の実施の形態に係る第３実施例の遊技媒体計数装置に係る遊技媒体受け部、遊技媒体通路及び台間機の一部拡大正面図である。
【図３１】この発明の実施の形態に係る第３実施例の遊技媒体計数装置に係る遊技媒体受け部、遊技媒体通路及び台間機の一部拡大正面図である。
【図３２】この発明の実施の形態に係る第４実施例の遊技媒体計数装置に係る遊技媒体受け部、遊技媒体通路及び台間機の取り付け作業中の一部拡大斜視図である。
【図３３】この発明の実施の形態に係る第４実施例の遊技媒体通路の台間機側筒状部品蓋体を外した状態の一部拡大斜視図である。
【図３４】この発明の実施の形態に係る第４実施例の遊技媒体通路の台間機側筒状部品蓋体を外した状態の一部拡大斜視図である。
【図３５】従来例の斜視図である。
【発明を実施するための形態】
【００２４】
図１乃至図２３に図示される第１実施例について説明する。図２において、１は遊技処理システムである。
遊技処理システム１は、図１、図２に図示されるように、遊技媒体計数装置２１、遊技機１０１等を有する。遊技媒体計数装置２１は、台間機２０１、遊技媒体受け部３０１、遊技媒体通路３１１、遊技媒体計数部６０１を有する。
【００２５】
遊技処理システム１の概要図である図２に図示されるように、この遊技処理システム１では、複数の遊技機１０１および複数の遊技機１０１のそれぞれに接続された台間機２０１、複数のスロットマシンである遊技機１０１Ａおよびメダル払出用の台間機２０１等が島コンピュータ２を介してネットワーク３に接続されている。遊技機１０１のそれぞれに接続された台間機２０１には、計数機（図示しない）が設けられ、各遊技機１０１のそれぞれに対応して設けられた遊技媒体受け部３０１から遊技媒体通路３１１を介して台間機２０１に導かれたパチンコ玉を計数する。
【００２６】
ネットワーク３には、台間機２０１（台間ユニットともいう）が接続されている。台間機２０１は、入金額を度数（有価価値）に変換して管理装置４の記憶部に、ＩＣカードの度数（有価価値）を各ＩＣカードのＩＤ（カード識別情報）に基づいて記憶する。更に、その度数の範囲で遊技媒体を貸し出す台間機２０１または貸し出しを遊技機に指示する。
ネットワーク３には、受け入れた会員用ＩＣカードまたは非会員用ＩＣカードの度数（有価価値）残高を現金で返却する精算機５、景品払出機６、景品管理機（ＰＯＳ）７が接続される。
【００２７】
管理装置４の記憶部には、会員用ＩＣカードのＩＤに基づいて記憶された貯玉数や貯メダル数の口座が設けられる。台間機２０１に設けられた計数機にて計数された獲得遊技媒体数があれば、ネットワーク３を介して管理装置４に送信し、口座に貯玉数や貯メダル数として積算して記憶する。
再プレー受付機８は、受け付けた会員用ＩＣカードのＩＤを読み取る。再プレー受付機８はさらに、ＩＤとともにＩＤで特定される口座の貯玉数や貯メダル数の一部または全部を、再プレー用貯玉数や再プレー用貯メダル数の情報を書き換える旨の要求信号を、ネットワーク３を介して管理装置４に送信し、再プレーを行える状態にする。
【００２８】
発行機９は、受け入れた紙幣額に対して購入度数ボタンで選択された金額に対応する度数を、非会員用ＩＣカードや会員用ＩＣカードに記録されているＩＤ情報に対応して管理装置４に記録更新し、非会員用ＩＣカードの新規発行や受け入れた会員カードの返却を行う。
ネットワーク３には、データ表示機１０が取り付けられる。データ表示機１０は、各遊技機１１の上部に取り付けられ、各遊技機１０１における、スランプグラフ、スタート回数、大当たり回数などの情報を表示する。各遊技機１０１の、スランプグラフ、スタート回数、大当たり回数などの情報を検索可能であり、その検索情報を表示部に表示して遊技客に提供するデータ公開機１１などが接続される。
【００２９】
各機器からの情報は、ネットワーク３を介して管理装置４に出力され、さらに、プロトコルコンバータ１２、モデム１３を介してカードセンタ１４に送信される。
各機器からの情報が出力される管理装置４には、例えば、管理装置４の情報を参照する機能を含んだホールコンピュータ１５が接続されている。
管理装置４からの情報は、ネットワーク３を介して各機器に出力される。なお、管理装置１３は、１つまたは複数の管理装置で構成することができる。これら管理装置をネットワーク３により接続して相互にデータ通信させる。
【００３０】
遊技機１０１は、パチンコ機からなる。遊技機１０１は、遊技媒体Ａである、パチンコ玉その他の遊技媒体を用いて遊技者は遊技する。遊技媒体Ａとしては、パチンコ玉、その他の交換可能な媒体であればよい。図１に図示される１０２は下皿、１０３は上皿である。下皿１０２及び上皿１０３は、遊技機１０１前面上下に備えられる。１０４はハンドルである。ハンドル１０４を操作して遊技する。
１０５は、テーブルである。テーブル１０５は、各遊技機１０１の下方に前方即ち遊技者側に突き出し、パチンコ島長手方向に設けられる。テーブル１０５の上は、各遊技機１０１のそれぞれに対応して、遊技媒体玉受け部３０１を設置する設置ベースとなる。
２０１は、台間機である。台間機２０１は、遊技機１０１ごとに対応させて隣接して設置される。更に、台間機２０１は、遊技媒体Ａを払い出すための処理を行うとともに、搬送すなわち流下された遊技媒体Ａをパチンコ島内に排出する。
【００３１】
３０１は、遊技媒体受け部である。遊技媒体受け部３０１は、遊技機１０１前面に設けられ、遊技機１０１の下皿１０２から排出された遊技媒体Ａを受け入れる。
以下、図１３乃至図１７に従って、遊技媒体受け部３０１について説明する。
３０２は玉箱、３０３は玉受け部である。玉箱３０２は、底部３５４と側壁３５５とからなる上面が開口した箱である。玉受け部３０３は、玉箱３０２の上面に開口される。
図１５に図示されるように、底部３５４には、遊技媒体Ａを遊技媒体通路３１１に導くためのスロープ３５６が設けられる。スロープ３５６は排出口に行くにしたがい低くなるようスロープが形成される。スロープ３５６中央には、遊技媒体Ａを２列に分けるための仕切り３５７が立設される。仕切り３５７はスロープ３５６が下がるにしたがい丈が高くなるよう設ける。
図１３において、３０４は玉箱ベース、３０５は設置ベースである。設置ベース３０５の裏面は、吸着性の部材からなる。そのため設置されるテーブル１０５に固着することが可能である。
玉箱３０２、玉箱ベース３０４、設置ベース３０５を積層して固定する。
【００３２】
図１４において、３０７は凸部、３０８は凸部取付片である。凸部取付片３０８は、図１３、図１４に図示されるように、玉箱ベース３０４の短辺すなわち遊技機１０１に向かって置かれた状態の遊技媒体受け部３０１の両側面に設けられる。凸部取付片３０８は、それぞれ両側に切込みを設けられる立ち上がり片からなる。更に、凸部取付片３０８は、下部が玉箱ベース３０４に取り付けられた片持ち状からなるように設けられる。
凸部取付片３０８は、下側で玉箱ベース３０４に取り付けられた片持ち状からなるため、ばね効果を有する。そのため、凸部取付片３０８先端に取り付けられた凸部３０７は、玉箱ベース３０４内外部側にたわみ、玉箱３０２と玉箱ベース３０４の嵌合時の凸部３０７と凹部３０６の嵌合における凸部取付片３０８の変形を吸収することが可能である。
凸部３０７は、図１４に図示されるように、円盤状からなり外側に突起し、凸部取付片３０８の先端に取り付けられる。
【００３３】
図１４において、３０６は凹部である。凹部３０６は玉箱３０２の短辺内側にそれぞれ凹状に設けられる。凹部３０６は、玉箱３０２に玉箱ベース３０４を嵌合させたときに、凸部３０７の対応位置に設けられる。凹部３０６は、凸部３０７をそれぞれに収納可能な外形からなる円盤状凹部を上下方向に複数個連続して、全体として概略長方形状に玉箱３０２内面から凹ませて設ける。凹部３０６は、凸部３０７の取付面に対応させて設けられ、この実施例では平行に２列設ける。
【００３４】
玉箱３０２と、玉箱ベース３０４との嵌合時には、凸部３０７を凹部３０６に嵌合させて行う。凹部３０６は、凸部３０７をそれぞれに収納可能な外形からなる円盤状凹部を上下方向に複数個連続して直線状に設けているため、凸部３０７の嵌合する円盤状凹部を選択して節度感を持って、嵌合させることが可能である。そのため、玉箱３０２と、玉箱ベース３０４との嵌合時の全体の高さ、すなわち、遊技媒体受け部３０１全体の高さを選択することが可能となる。
凹部３０６及び凸部３０７で、上下位置調整手段３４１構成する。上下位置調整手段３４１は、遊技媒体受け部３０１を略垂直方向に上下位置の調整が可能である。凹部３０６と、凸部３０７との位置関係を調整して嵌合させることで、上下位置調整手段３４１は、遊技機１０１の下皿１０２に近接する遊技媒体受け部３０１上端部を略水平に保ち、上下位置を変動することが可能である。
遊技媒体通路３１１は、遊技媒体受け部３０１の上下位置調整手段３４１による位置変動に伴い、回動により追随して移動する。
【００３５】
図１３、図１４に図示されるように、玉箱３０２は、受け入れた遊技媒体Ａを排出するための遊技媒体排出口３５２と、遊技媒体排出口３５２から排出された遊技媒体Ａを遊技媒体通路３１１に移行させるための遊技媒体受け部連結部を備える。遊技媒体受け部連結部は、第１実施例では、図７の部品図に図示されるように、受け部側嵌合部５４１からなる。
遊技媒体受け部連結部である受け部側嵌合部５４１は、連結部３２１である略水平の回転軸３２３により上下方向に遊技媒体通路３１１とともに回動する。
遊技媒体排出口３５２は、受け入れた遊技媒体Ａを排出する。
遊技媒体受け部連結部である受け部側嵌合部５４１は、遊技媒体排出口３５２から排出された遊技媒体Ａを、遊技媒体通路３１１に移行させる。遊技媒体通路３１１は、遊技媒体受け部３０１において受け入れた遊技媒体Ａを前記台間機２０１へ向けて搬送あるいは流下させる。
【００３６】
遊技媒体通路３１１は、複数の筒状部品３３１と、複数の連結部３２１を備える。複数の連結部３２１は、略垂直方向の回転軸３２２及び略水平方向の回転軸３２３を有する。そして、略垂直方向の回転軸３２２により水平方向、略水平方向の回転軸３２３により垂直方向等異なる方向に回動する。
複数の筒状部品３３１は、台間機側筒状部品３３２と、受け部側筒状部品３３３、中間筒状部品３３４とからなる。それぞれ本体と蓋体とからなり、台間機側筒状部品本体３３２Ａ、台間機側筒状部品蓋体３３２Ｂ、受け部側筒状部品本体３３３Ａ、受け部側筒状部品３３３Ｂ、中間筒状部品本体３３４Ａ、中間筒状部品蓋体３３４Ｂとからなる。それぞれ本体と蓋体とを嵌合させて固定する。
複数の連結部３２１により複数の筒状部品３３１は連結される。中間筒状部品３３４と、受け部側筒状部品３３３、台間機側筒状部品３３２以外の筒状部材３３１を組み合わせてもよい。
中間筒状部品３３４は、図３乃至図８、図１８乃至図２１に図示されるように、第１実施例では湾曲状からなる。
【００３７】
受け部側筒状部品３３３は、第１実施例に係る図３〜図１２、図２１に図示されるように若干湾曲してS字状からなっても、図２４乃至図３４に図示される第２実施例乃至第４実施例のように直線状からなってもよい。
第１実施例における受け部側筒状部品３３３の湾曲は、図３〜図１２、図２１に明らかなように、遊技媒体受け部３０１への取付端部は遊技機１０１側に、台間機２０１側は遊技者側に曲がる略Ｓ字状をとる。そのように略Ｓ字状に湾曲するため、遊技媒体通路３１１の受け部側筒状部品３３３を遊技媒体受け部３０１へ取り付けるにあたり、受け部側筒状部品３３３の遊技媒体受け部３０１への取付端部は、遊技媒体受け部３０１の遊技機１０１側にすなわち、図３の奥側とすることができる。そこで、遊技媒体受け部３０１は遊技機１０１に近接して設置することが可能となる。
【００３８】
複数の連結部３２１のうち少なくとも１の連結部３２１は、図５、図６に図示するように、略水平方向の回転軸３２３により、連結する筒状部品３３１を、上下方向に回動する。複数の連結部３２１のうち少なくとも１の連結部３２１は、略垂直方向の回転軸３２２により、連結する受け部側筒状部品３３３である筒状部品３３１及び中間筒状部品３３４である筒状部品３３１を、図９乃至図１２に図示するように、水平方向に回動する。
【００３９】
５０１は嵌合部である。嵌合部５０１は、通路台間機側嵌合部５１１、台間機側嵌合部５２１、通路受け部側嵌合部５３１、受け部側嵌合部５４１からなる。
通路台間機側嵌合部５１１は、遊技媒体通路３１１の台間機２０１側の端部に設けられる。台間機側嵌合部５２１は、台間機２０１前面に設けられる。通路受け部側嵌合部５３１は、遊技媒体通路３１１の遊技媒体受け部３０１側の端部に設けられる。受け部側嵌合部５４１は、遊技媒体受け部３０１の前面に設けられる。
図１１に図示されるように、受け部側筒状部品３３３の遊技媒体受け部３０１側端部に設けられる通路受け部側嵌合部５３１は、遊技媒体受け部３０１から取り外すことが可能となる。
【００４０】
筒状部品３３１を上下方向に回動する前記連結部３２１である略垂直方向の回転軸３２２の遊技媒体受け部３０１には、図３〜図１２に図示される第１実施例でも、図２４乃至図３４に図示される第２実施例乃至第４実施例においても、受け部側筒状部品３３３の端部に嵌合部５０１である通路受け部側嵌合部５３１を備える。
【００４１】
図７に図示されるように、遊技媒体通路３１１の遊技媒体受け部３０１側端部には、ボールジョイント受け部からなる通路受け部側嵌合部５３１が設けられる。先端にボールジョイント５４２が取り付けられた受け部側嵌合部５４１が通路受け部側嵌合部５３１に嵌合されて取り付けられる。
受け部側嵌合部５４１は、遊技媒体受け部３０１に設けられた遊技媒体排出口３５２に嵌合される。
通路受け部側嵌合部５３１は、図７に図示されるように、受け部側筒状部品３３３端部に嵌合される。ボールジョイントとボールジョイント受け部からなるため、取外しが容易であるとともに、遊技媒体受け部３０１の前後左右上下の動きに追随して移動する。
遊技媒体通路３１１は、遊技媒体受け部３０１の前後左右、及び上下の動きに追随して移動する。
遊技媒体通路３１１は、台間機２０１前面に設けられた嵌合部５０１である台間機側嵌合部５２１および通路台間機側嵌合部５１１を基端として水平方向に回動する。
【００４２】
図７に図示されるように、遊技媒体通路３１１は、内部に通路部材３７１が設けられる。通路部材３７１は、第１の通路部材３７２と第２の通路部材３７３とからなる。
第１実施例では、第１の通路部材３７２は、台間機側筒状部材３３２内に設けられ、第２の通路部材３７３は、受け部側筒状部品３３３及び中間筒状部品３３４内に設けられる。
嵌合部５０１は、台間機２０１内部に侵出する第１の通路部材３７２と、遊技媒体受け部３０１へ連なる第２の通路部材３７３を連結する。
第１の通路部材３７２は所定の操作により、第４実施例に係る図３２同様、台間機２０１内部から引き抜き、差し込むことが可能である。
また、遊技媒体受け部３０１と、第１の通路部材３７２である遊技媒体通路３１１は所定の操作により、分離することが可能である。
【００４３】
遊技媒体通路３１１である通路部材３７１は、図７に図示されるように、案内路３１５を備えている。案内路３１５は、複数列の整列状態からなり、遊技媒体Ａが搬送される。この実施例では、案内路３１５は２列からなる。案内路３１５は、仕切板３１４で区切られる。遊技媒体通路３１１すなわち通路部材３７１は、上下部品本体と蓋体とからなり上下を嵌合して固定する。
嵌合部５０１である台間機側嵌合部５２１は、第１実施例をあらわす図３、第４実施例をあらわす図３２に図示されるように上下２個のベロ状からなり、その間に第１実施例をあらわす図３、図４、図８、第２実施例をあらわす図２４に図示されるように、台間機側筒状部品３３２の通路台間機側嵌合部５１１である第１の通路部材３７２（３７１）が挟み込まれる。
【００４４】
通路台間機側嵌合部５１１である台間機側筒状部品３３２の台間機側筒状部品本体３３２Ａと台間機側筒状部品蓋体３３２Ｂとの間の遊技媒体通路３１１内部の第１の通路部材３７２上には、図７に図示される２列の、内部通路部材であるインナーＲ３６１、インナーＬ３６２を設置する。インナーＲ３６１、インナーＬ３６２は、図２２あるいは第４実施例に関する図３３、図３４に図示されるのと同様に、コ字型断面からなる略直方体からなる。
第１の通路部材３７２（３７１）は、図１９、図２０に図示されるように、台間機側嵌合部５２１、及び図８に図示されるような台間機２０１側の通路２３１、通路２３２の開口に合わせた正方形の開口をそれぞれ有する。
中間筒状部品蓋体３３４Ｂ、インナーＲ３６１、インナーＬ３６２上から、台間機側筒状部品蓋体３３２Ｂは被されて固定される。
【００４５】
内部通路部材であるインナーＲ３６１、インナーＬ３６２の中間筒状部品蓋体３３４Ｂ側先端には、図７、図２１に図示されるように、ガイド溝３６３、ガイド溝３６４を長手方向に対する横方向に穿設する。他方、中間筒状部品蓋体３３４Ｂの台間機側筒状部品３３２側端には、図７、図２１に図示されるように、表面から突起部であるガイドピン３６５、ガイドピン３６６が上方に突設あるいは突起される。
ガイドピン３６５、ガイドピン３６６の間の中間筒状部品蓋体３３４Ｂ表面には略垂直方向の回転軸３２２が取り付けられる。ガイド溝３６３、ガイド溝３６４には、ガイドピン３６５、ガイドピン３６６がそれぞれ嵌合され、ガイドピン３６５、ガイドピン３６６は、対応するガイド溝３６３、ガイド溝３６４内を移動可能である。
【００４６】
内部通路部材であるインナーＲ３６１、インナーＬ３６２は、図２１に図示されるように、それぞれ台間機２０１方向にずらしながら、平行に並べて設置する。図２１に図示されるような台間機側筒状部品３３２の台間機２０１への嵌合状態では、ガイドピン３６５、ガイドピン３６６はそれぞれ嵌合するガイド溝３６３、ガイド溝３６４の外側に位置する。
このとき、遊技媒体搬送阻止手段である開閉手段３６７、開閉手段３６８は、先端左右側面に位置し、通路は閉鎖しないように、垂直方向の開閉手段回転軸３６７Ａ、開閉手段回転軸３６８ＡでインナーＲ３６１、インナーＬ３６２に取付けられている。
【００４７】
第２の通路部材３７３（３７１）の、略垂直方向の回転軸３２２を回転中心とする水平方向の回動にしたがい、ガイドピン３６５、ガイドピン３６６に係止されたインナーＲ３６１、インナーＬ３６２は、図２１に図示されるように、前後逆方向すなわち、第４実施例の使用状態をあらわす図３３、図３４に図示されるのと同様に、中間筒状部品蓋体３３４Ｂ方向及び反対方向である台間機２０１方向に移動する。ガイドピン３６５、ガイドピン３６６は、対応するガイド溝３６３、ガイド溝３６４内を摺動する。
【００４８】
図８において、２３１、２３２は、それぞれ台間機２０１下部に設けられた台間機側の通路である。２３３は仕切り板である。２列の通路２３１、通路２３２は仕切り版２３３で区分けされる。通路２３１、通路２３２は、図７に図示される遊技媒体通路３１１の通路部材３７１である第２の通路部材３７３の案内路３１５にそれぞれ連結し、遊技媒体Ａを搬送あるいは流下する。
図８において、６０１は、遊技媒体計数部である。遊技媒体計数部６０１は、遊技媒体受け部３０１から前記台間機２０１までのいずれかに設けられ、通過する遊技媒体Ａを計数する。この実施例では、図８に図示されるように、台間機２０１の２列の通路２３１、通路２３２下流に取り付けられる。
遊技媒体計数部６０１は、この実施例では近接センサーからなり、通過する遊技媒体Ａを計数する。遊技媒体計数部６０１で得られた情報は、ホールコンピュータ１５あるいは島コンピュータ２にネットワーク３を介して伝送される。
【００４９】
遊技媒体通路３１１は、複数の筒状部品３３１と１乃至複数の遊技媒体通路間連結部である連結部３２１を備える。
複数の筒状部品３３１は、１乃至複数の遊技媒体通路間連結部である連結部３２１により連結される。連結部３２１のうち、少なくとも１の遊技媒体通路間連結部３２１は、水平方向の回動軸３２３により連結する前記筒状部品３３１を図５、図６に図示するように上下方向に回動する。
第１実施例では、複数の連結部３２１における回動、及び、遊技媒体受け部３０１と遊技媒体通路３１１の分離により、対応する遊技機１０１の直前面から、遊技媒体通路３１１が完全に退避することが可能である。また、対応する遊技機１０１と逆側に隣接する遊技機１０１の前面にも侵出しないことが可能である。
【００５０】
図７に図示される、遊技媒体通路３１１に設けられる、インナーＲ３６１、インナーＬ３６２は、回動動作に伴い移動を行う。
インナーＲ３６１、インナーＬ３６２の移動の検出は、台間機側筒状部品蓋体３３２Ｂに設けられた移動検出口から移動検出手段あるいは内部通路移動検出手段である（図示せず）によりおこなう。移動検出手段は、移動検出口を通してインナーＲ３６１、インナーＬ３６２の移動の検出可能な位置例えば、近接センサーあるいは接触センサー等からなり、台間機側筒状部品蓋体３３２Ｂの上方等に設置する。
【００５１】
インナーＲ３６１、インナーＬ３６２のそれぞれの移動、存否を１の移動検出手段により検出することで、１の移動検出手段においては以下に関する情報を検出することが可能となる。
Ａ．遊技媒体受け部３０１が前記遊技機１０１の前面に位置する通常時の第１の状態
Ｂ．遊技媒体通路３１１が回動し、前記遊技機１０１前面から退避された第２の状態
Ｃ．第１の通路部材３７２が前記台間機２０１から引き抜かれた第３の状態
【００５２】
台間機２０１は、遊技媒体通路状態判定手段を備える。遊技媒体通路状態判定手段は、この実施例では、ホールコンピュータ１５あるいは島コンピュータ２からなる。
移動検出手段で検出された情報は、遊技媒体通路状態判定手段であるホールコンピュータ１５あるいは島コンピュータ２にネットワーク３を介して伝送される。
この実施例に係る遊技媒体計数システムでは、遊技媒体通路状態判定手段では、インナーＲ３６１、インナーＬ３６２の移動状態を検出する移動検出手段と、移動検出手段において検出結果から、前記遊技媒体通路３１１の状態が、上記Ａ．Ｂ．Ｃ．の３状態のいずれかを判定する。
【００５３】
通路部材３７１である第２の通路部材３７３の水平方向の回動にしたがい、インナーＲ３６１、インナーＬ３６２は、前後逆方向すなわち、中間筒状部品蓋体３３４Ｂ方向及び反対方向に移動する。
インナーＲ３６１、インナーＬ３６２の移動あるいは、第２の通路部材３７３の水平方向の回動に連動し、遊技媒体通路３１１の開口を開閉するシャッター等開閉手段３６７、３６８を、インナーＲ３６１、インナーＬ３６２に設けて、あるいはインナーＲ３６１、インナーＬ３６２の動作に連動するように遊技媒体通路３１１の開口部に設けて、遊技媒体搬送阻止手段とする。
【００５４】
遊技媒体搬送阻止手段である開閉手段３６７、開閉手段３６８は、第１実施例では、図２０、図２１、図２３に図示されるように、板状体からなり、中間筒状部品３３４（３３１）の先端左右側面に垂直方向の開閉手段回転軸３６７Ａ、開閉手段回転軸３６８ＡでインナーＲ３６１、インナーＬ３６２に取付けられる。図２３において、開閉手段３６７の手前側が通路内面側であり、開閉手段３６８の手前側が表面に露出する面である。
ガイドピン３６５、ガイドピン３６６に係止されたインナーＲ３６１、インナーＬ３６２は、図２１矢印Ａ方向への中間筒状部品３３４の回動による略垂直方向の回転軸３２２の回動及びインナーＲ３６１、インナーＬ３６２の前後逆方向への摺動に従い、前後逆方向すなわち、中間筒状部品蓋体３３４Ｂ方向及び反対方向である台間機２０１方向に移動する。すると、ガイドピン３６５、ガイドピン３６６は、対応するガイド溝３６３、ガイド溝３６４内を摺動する。
【００５５】
同時に、開閉手段３６７、開閉手段３６８は、図２１矢印Ａ方向への中間筒状部品３３４の回動による略垂直方向の回転軸３２２の回動及びインナーＲ３６１、インナーＬ３６２の前後逆方向への摺動に従い、開閉手段回転軸３６７Ａ、開閉手段回転軸３６８Ａを回転中心として、インナーＲ３６１、インナーＬ３６２に取付けられていない自由端部が、それぞれ通路内側に入りこむよう回転し、台間機側筒状部品３３２の第１の通路部材３７２（３７１）の通路を閉じる。
そのため、第２の通路部材３７３の水平方向の回動にしたがい、回転に追従させ遊技媒体通路３１１の開口を遊技媒体搬送阻止手段３６７、３６８で塞ぐことが可能となる。
【００５６】
遊技媒体通路３１１を一定量以上回転させると、インナーＲ３６１、インナーＬ３６２の開口部を遊技媒体搬送阻止手段３６７、３６８が塞ぐので、遊技媒体Ａが流れなくなる。
遊技媒体搬送阻止手段３６７、３６８により遊技媒体Ａの搬送を阻止している状態か否かは、遊技媒体搬送阻止手段センサー（図示せず）で感知する。遊技媒体搬送阻止手段センサーは接触センサーあるいは近接センサーからなる。
遊技媒体搬送阻止手段３６７、３６８により遊技媒体Ａの搬送を阻止している状態か否かの遊技媒体搬送阻止手段センサーで感知された情報は、遊技媒体通路状態判定手段であるホールコンピュータ１５あるいは島コンピュータ２に伝送される。
【００５７】
台間機２０１には報知手段（図示せず）が設けられる。報知手段は、音声、あるいは視認手段、警音からなり、遊技媒体通路状態判定手段であるホールコンピュータ１５あるいは島コンピュータ２に接続される。遊技媒体搬送阻止手段３６７、３６８により、遊技媒体Ａの搬送が阻止されている状態で、遊技媒体Ａの計数が行われた場合、遊技媒体通路状態判定手段であるホールコンピュータ１５あるいは島コンピュータ２からその旨の情報が伝送されると、報知手段は報知を行う。
【００５８】
更に、報知手段は、ホールコンピュータ１５あるいは島コンピュータ２である遊技媒体通路判定手段により、遊技媒体通路３１１が第２の状態「Ｂ．遊技媒体通路３１１が回動し、前記遊技機１０１前面から退避された第２の状態」であると判定し、遊技媒体搬送阻止手段３６７、３６８により遊技媒体Ａの搬送を阻止している状態において、遊技媒体Ａの計数が行われた場合、遊技媒体通路判定手段であるホールコンピュータ１５あるいは島コンピュータ２からその旨の情報が伝送され報知を行う。
報知手段は、更に、遊技媒体通路判定手段により、遊技媒体通路３１１が、第３の状態「Ｃ．第１の通路部材３７２が前記台間機２０１から引き抜かれた第３の状態」であると判定した場合は、計数の有無にもかかわらず、遊技媒体通路判定手段であるホールコンピュータ１５あるいは島コンピュータ２からその旨の情報が伝送されると、報知をおこなう。
【００５９】
図２４乃至図２７に図示される第２実施例について説明する。第２実施例では、遊技媒体通路３１１は、伸縮する。
遊技媒体通路３１１は、遊技媒体受け部３０１の上下位置調整手段３４１による位置変動に伴い、前記回動又は／及び前記伸縮の動作により追従する。
遊技媒体通路３１１は上下方向、水平方向に回転する。遊技機１０１の下皿１０２に接触しない位置まで、遊技媒体受け部３０１は水平に移動し、垂直に回転する。そのため、遊技機１０１の清掃、遊技機１０１の入れ替えに有効である。
第２実施例では、遊技機１０１の取り外し等に際し、図２４、図２５、図２６、図２７と順次操作を行うことで、玉箱である遊技媒体受け部１０１及び遊技媒体通路３１１を遊技機１０１前面から完全に退避させることが可能となる。
【００６０】
第２実施例でも、図３０に図示される第３実施例のように、通路受け部側嵌合部５３１と略水平方向の回転軸３２３との２の支点で支持されて上下動されるため、水平に移動することが可能である。
複数の連結部３２１における回動、及び、遊技媒体受け部３０１と遊技媒体通路３１１の分離により、対応する遊技機１０１の直前面から、遊技媒体通路３１１が完全に退避することが可能である。
【００６１】
第２実施例では、遊技媒体受け部３０１は、図２４に図示されるように、玉箱３０２と脚部３５１とを有する。玉箱３０２は、底部３５４と側壁３５５とからなる上面が開口した箱である。上下位置調整手段３４１は、玉箱３０２と脚部３５１に各々備えられている。
玉箱３０２に設けられた第１の上下位置調整手段３４１は、底部３５４の上下位置は変動せず、側壁３５５が略垂直方向に伸縮し、上下位置を変動する。玉箱３０２に設けられた上下位置調整手段３４１は、底部３５４と側壁３５５とを節度感を持たせて上下動可能な構造からなる。
【００６２】
脚部３５１に設けられた第２の上下位置調整手段３４１は、伸縮可能な構造とされた脚部３５１からなる。
図２５では、遊技機１０１前面から退避した状態をあらわす。図２６では、遊技媒体受け部３０１を取り外した状態をあらわす。図２７では、遊技機１０１前面から完全に退避した状態をあらわす。筒状部品３３１である受け部側筒状部品３３３は、図２７に図示されるように折り畳まれる。
【００６３】
図３０及び図３１に図示される第３実施例について説明する。第３実施例では、遊技媒体通路３１１は、複数の筒状部品３３１と、複数の連結部３２１を備えるが、複数の連結部３２１は、回動動作により遊技媒体通路３１１を屈曲することが可能である。
遊技媒体受け部３０１は、対応する遊技機１０１の直前面から退避とりわけ完全に退避することが可能な、略垂直方向の回転軸３２２である第１の退避手段により、連結する前記筒状部品３３１を、水平方向に回動する。更に、対応する遊技機１０１の前扉１１１直前面から退避とりわけ完全に退避することが可能な、水平方向の回動軸３２３である第２の退避手段により、連結する前記筒状部品３３１を、図３１に図示されるように上下方向に回動する。
【００６４】
図３２に図示される第４実施例について説明する。
第４実施例では、搬送時や保管時にコンパクトなサイズとするため、遊技媒体通路３１１は、本体のレバー操作で取外し可能である。取外し時は、遊技媒体通路３１１インナーに設けたベロ状の台間機側嵌合部５２１に設置されたセンサーで、嵌合部５０１である通路台間機側嵌合部５１１の不存在を検出する。
通路台間機側嵌合部５１１の存在不存在の旨の情報は、ホールコンピュータ１５あるいは島コンピュータ２に伝送される。
【００６５】
図３３、図３４に図示される、遊技媒体通路３１１である台間機側筒状部品蓋体３３２Ｂを外した状態の第４実施例について説明する。
第４実施例でも、遊技媒体通路３１１内部に、インナーＲ３６１、インナーＬ３６２を設ける。インナーＲ３６１、インナーＬ３６２は、図３３、図３４に図示されるように、コ字型断面からなる略直方体からなる。
通路部材３７１である第２の通路部材３７３の水平方向の回動にしたがい、インナーＲ３６１、インナーＬ３６２は、前後逆方向すなわち、中間筒状部品蓋体３３４Ｂ及び反対方向に移動する。回転に追従させ遊技媒体通路３１１を遊技媒体搬送阻止手段３６７、３６８で塞ぐ。
遊技媒体通路３１１を一定量以上回転させると、遊技媒体Ａが流れなくなり、センサーで、エラーを報知する。
【００６６】
第４実施例では、図３３に図示される状態から図３４の状態に回転したとき開口部を塞ぎ、遊技媒体Ａを流さない。通路の回転を検知したとき、遊技媒体Ａのカウントをしてもエラーと判断する。
遊技媒体搬送阻止手段３６７、３６８は、遊技媒体通路３１１から搬送された遊技媒体Ａの搬送を阻止する。遊技媒体搬送阻止手段３６７、３６８は、遊技媒体通路状態判定手段であるホールコンピュータ１５あるいは島コンピュータ２が、遊技媒体通路３１１が、第２の状態「Ｂ．遊技媒体通路３１１が回動し、前記遊技機１０１前面から退避された第２の状態」、または、第３の状態「Ｃ．第１の通路部材３７２が前記台間機２０１から引き抜かれた第３の状態」であると判定した場合、前記遊技媒体Ａの搬送を阻止する旨の情報を伝送し、前記遊技媒体Ａの搬送を阻止する。
【００６７】
したがって、この実施例では、遊技機１０１の取り外し等に際し、玉箱である遊技媒体受け部３０１及び台間機２０１と遊技媒体受け部３０１とを連結する遊技媒体通路３１１を遊技機１０１前面から退避させることが可能となる。
【符号の説明】
【００６８】
１    遊技処理システム
２１  遊技媒体計数装置
１０１  遊技機
２０１  台間機
３０１  遊技媒体受け部
３１１  遊技媒体通路
６０１  遊技媒体計数部
【図１】
2015051061.tif 000003
【図２】
2015051061.tif 000004
【図３】
2015051061.tif 000005
【図４】
2015051061.tif 000006
【図５】
2015051061.tif 000007
【図６】
2015051061.tif 000008
【図７】
2015051061.tif 000009
【図８】
2015051061.tif 000010
【図９】
2015051061.tif 000011
【図１０】
2015051061.tif 000012
【図１１】
2015051061.tif 000013
【図１２】
2015051061.tif 000014
【図１３】
2015051061.tif 000015
【図１４】
2015051061.tif 000016
【図１５】
2015051061.tif 000017
【図１６】
2015051061.tif 000018
【図１７】
2015051061.tif 000019
【図１８】
2015051061.tif 000020
【図１９】
2015051061.tif 000021
【図２０】
2015051061.tif 000022
【図２１】
2015051061.tif 000023
【図２２】
2015051061.tif 000024
【図２３】
2015051061.tif 000025
【図２４】
2015051061.tif 000026
【図２５】
2015051061.tif 000027
【図２６】
2015051061.tif 000028
【図２７】
2015051061.tif 000029
【図２８】
2015051061.tif 000030
【図２９】
2015051061.tif 000031
【図３０】
2015051061.tif 000032
【図３１】
2015051061.tif 000033
【図３２】
2015051061.tif 000034
【図３３】
2015051061.tif 000035
【図３４】
2015051061.tif 000036
【図３５】
2015051061.tif 000037